(57)【特許請求の範囲】
【請求項１】
天井に固定される連結金具と、この連結金具に吊下げ手段を介して吊下げられる天井扇風機本体とを備え、前記吊下げ手段は前記連結金具に可動自在に取付可能な第１連結部と、この第１連結部の下部に第２連結部を有し、前記天井扇風機本体は、水平方向に付設した複数のブレードを回転するモータと、そのモータの上部に突出したシャフトと、そのシャフトの上部に固定されたジョイント部を有し、前記ジョイント部は前記第２連結部に可動自在に取付けられ、前記吊下げ手段は前記モータの前記シャフトの中心軸をＹ軸とし、そのＹ軸に対し垂直に交わる水平面の座標をＸ軸とＺ軸とするとき、このＸ軸方向を回転軸とした回動可能な水平軸連結部である前記第１連結部と、Ｘ軸とＺ軸とからなる水平面上にＸ軸とＺ軸に回転軸を持つ回転方向の振れ成分に対応する回転軸を持つ回動可能な水平面軸連結部である前記第２連結部とを備え、前記第１連結部と前記第２連結部で揺れ方向が逆向きになり、前記天井扇風機本体の揺れを一部打ち消しあうことを特徴とする天井扇風機。
【請求項２】
天井に固定された前記連結金具はフック形状であり、前記第１連結部である前記水平軸連結部は前記連結金具のフック形状が引っ掛かる水平方向に固定された円柱状の軸からなり、前記ジョイント部は略半球形状で球面に溝を有する形状であるボールジョイントであり、前記第２連結部である前記水平面軸連結部は、前記ボールジョイントを可動自在に保持するお椀状で前記シャフトが通ることができる切欠き部と前記溝に挿入可能な突起を備えた請求項１に記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。
【０００３】
すなわち、天井に固定される連結金具と、この連結金具に吊下げ手段を介して吊下げられる天井扇風機本体とからなる構成となっていた。
【特許文献１】特開平３−２９４６９６号公報
【発明の開示】
【発明が解決しようとする課題】
【０００４】
上記従来例における課題は、天井から天井扇を吊下げ運転すると、天井扇風機本体の揺動が発生するということであった。
【０００５】
すなわち、従来の物においては、天井に固定された連結金具に本体上部から突出したシャフトを可動自在に固定していたが、羽根の重量やピッチのアンバランスや、本体動作時に発生する循環風、外風などにより、特定されないあらゆる方向への揺れ成分が発生し、非定常的に本体の揺動が発生するというものである。
【０００６】
そこで、従来は揺動を抑制する為に、天井扇本体を吊下げ構造を介し、天井に強固に固定して本体の揺動幅を小さくしていたが、それでも天井の構造によっては天井で異音が発生するという課題があった。
【０００７】
そこで本発明は、異音の発生を抑制することを目的とするものである。
【課題を解決するための手段】
【０００８】
そしてこの目的を達成するために本発明は、天井に固定される連結金具と、この連結金具に吊下げ手段を介して吊下げられる天井扇風機本体とを備え、前記吊下げ手段は前記連結金具に可動自在に取付可能な第１連結部と、この第１連結部の下部に第２連結部を有し、前記天井扇風機本体は、水平方向に付設した複数のブレードを回転するモータと、そのモータの上部に突出したシャフトと、そのシャフトの上部に固定されたジョイント部を有し、前記ジョイント部は前記第２連結部に可動自在に取付けられ、前記吊下げ手段は前記モータの前記シャフトの中心軸をＹ軸とし、そのＹ軸に対し垂直に交わる水平面の座標をＸ軸とＺ軸とするとき、このＸ軸方向を回転軸とした回動可能な水平軸連結部である前記第１連結部と、Ｘ軸とＺ軸とからなる水平面上にＸ軸とＺ軸に回転軸を持つ回転方向の振れ成分に対応する回転軸を持つ回動可能な水平面軸連結部である前記第２連結部とを備え、前記第１連結部と前記第２連結部で揺れ方向が逆向きになり、前記天井扇風機本体の揺れを一部打ち消しあうことを特徴とし、これにより初期の目的を達成するものである。
【発明の効果】
【０００９】
以上のように本発明は、天井に固定される連結金具と、この連結金具に吊下げ手段を介して吊下げられる天井扇風機本体とを備え、前記吊下げ手段は前記連結金具に可動自在に取付可能な第１連結部と、この第１連結部の下部に第２連結部を有し、前記天井扇風機本体は、水平方向に付設した複数のブレードを回転するモータと、そのモータの上部に突出したシャフトと、そのシャフトの上部に固定されたジョイント部を有し、前記ジョイント部は前記第２連結部に可動自在に取付けられ、前記吊下げ手段は前記モータの前記シャフトの中心軸をＹ軸とし、そのＹ軸に対し垂直に交わる水平面の座標をＸ軸とＺ軸とするとき、このＸ軸方向をＸ軸とＺ軸に回転軸を持つ回転方向の振れ成分に対応する回転軸とした回動可能な水平軸連結部である前記第１連結部と、Ｘ軸とＺ軸とからなる水平面上に回転軸を持つ回動可能な水平面軸連結部である前記第２連結部とを備え、前記第１連結部と前記第２連結部で揺れ方向が逆向きになり、前記天井扇風機本体の揺れを一部打ち消しあうことを特徴とし、天井扇運転時の本体の振動が天井に伝わりにくく、異音の発生を抑制することができるものである。
【００１０】
その理由は未だ十分には解明できていないが、天井に固定される連結金具と天井扇風機本体との間に２箇所の可動自在な連結部を有した吊下げ手段を設けたので、運転時の天井扇風機本体の振動は２箇所の可動自在な連結部により天井への伝達が軽減されるとともに、運転時の天井扇風機本体の揺動が、２箇所の可動自在な連結部により揺れ方向が逆向きになり、揺動の一部を打ち消しあうこととなり、これらの結果から、運転時の天井扇風機本体の振動が天井に伝わりにくく、天井扇本体の揺動を抑制することが出来るものと考えられる。いずれいせよ、以上の構成により天井における異音の発生は大幅に減少することとなった。
【発明を実施するための最良の形態】
【００１３】
本発明の請求項１記載の発明は、天井に固定される連結金具と、この連結金具に吊下げ手段を介して吊下げられる天井扇風機本体とを備え、前記吊下げ手段は前記連結金具に可動自在に取付可能な第１連結部と、この第１連結部の下部に第２連結部を有し、前記天井扇風機本体は、水平方向に付設した複数のブレードを回転するモータと、そのモータの上部に突出したシャフトと、そのシャフトの上部に固定されたジョイント部を有し、前記ジョイント部は前記第２連結部に可動自在に取付けられ、前記吊下げ手段は前記モータの前記シャフトの中心軸をＹ軸とし、そのＹ軸に対し垂直に交わる水平面の座標をＸ軸とＺ軸とするとき、このＸ軸方向を回転軸とした回動可能な水平軸連結部である前記第１連結部と、Ｘ軸とＺ軸とからなる水平面上にＸ軸とＺ軸に回転軸を持つ回転方向の振れ成分に対応する回転軸を持つ回動可能な水平面軸連結部である前記第２連結部とを備え、前記第１連結部と前記第２連結部で揺れ方向が逆向きになり、前記天井扇風機本体の揺れを一部打ち消しあうことを特徴とし、天井扇運転時の本体の振動が天井に伝わりにくく、異音の発生を抑制するという作用を有する。
【００２０】
以下、本発明の実施の形態について図面を参照しながら説明する。
【００２１】
（参考例１）
図１および図２に示すように、天井５に固定される連結金具６と、この連結金具６に吊下げ手段７を介して吊下げられる天井扇風機本体１とを備え、吊下げ手段７は連結金具６に可動自在に取付可能な第１連結部と、この第１連結部の下部に第２連結部を有し、天井扇風機本体１は、水平方向に付設した複数のブレード２を回転するモータ３と、そのモータ３の上部に突出したシャフト４と、そのシャフト４の上部に固定されたジョイント部１０を有し、ジョイント部１０は第２連結部に可動自在に取付ける構成である。
【００２２】
また、吊下げ手段７はモータ３のシャフト４の中心軸１４をＹ軸１１とし、そのＹ軸１１に対し垂直に交わる水平面の座標をＸ軸１２とＺ軸１３とするとき、Ｘ軸１２方向を回転軸とした回動可能な水平軸連結部８である第１連結部と、Ｚ軸１３方向を回転軸とした回動可能な水平軸連結部９である第２連結部とを備えている。
【００２３】
そして、第１連結部である水平軸連結部８は、水平方向に固定された円柱状の軸にプーリー２２を有し、天井５に固定されたフック形状の連結金具６が引っ掛かる。また、プーリー２２は外周の中央部に溝２０を備え、材質はゴム製とした構成とする。
【００２４】
第２連結部である水平軸連結部９は水平方向に固定された円柱状の軸からなり、シャフト４の上部に設けられた孔形状のジョイント部１０に引っ掛かる。
【００２５】
すなわち、吊下げ手段７は、第１連結部である円柱状の軸と、第２連結部である円柱状の軸とを吊下げ部１５により水平方向で９０度ずれて固定されている。
【００２６】
上記構成により、本体および羽根の重量やピッチのアンバランス、また動作時に発生する風に循環風や外風などにより、特定されないあらゆる方向への揺れ成分が発生し、非定常的に本体の揺れが発生しても、Ｘ軸１２方向を回転軸とした回転方向の振れ成分を第１連結部にて抑制し、Ｚ軸１３方向を回転軸とした回転方向の振れ成分を第２連結部にて抑制でき、それぞれの振れ成分に対応できるため、製品動作時の本体の揺れを抑制することができる。
【００２７】
（実施の形態１）
図３、図４および図５に示すように、天井５に固定される連結金具６と、この連結金具６に吊下げ手段７を介して吊下げられる天井扇風機本体１とを備え、吊下げ手段７は連結金具６に可動自在に取付可能な第１連結部と、この第１連結部の下部に第２連結部を有し、天井扇風機本体１は、水平方向に付設した複数のブレード２を回転するモータ３と、そのモータ３の上部に突出したシャフト４と、そのシャフト４の上部に固定されたジョイント部１０を有し、ジョイント部１０は第２連結部に可動自在に取付ける構成である。
【００２８】
また、吊下げ手段７はモータ３のシャフト４の中心軸１４をＹ軸１１とし、そのＹ軸１１に対し垂直に交わる水平面の座標をＸ軸１２とＺ軸１３とするとき、Ｘ軸１２方向を回転軸とした回動可能な水平軸連結部８である第１連結部と、Ｘ軸１２とＺ軸１３とからなる水平面上に回転軸を持つ回動可能な水平面軸連結部１６である第２連結部とを備えている。
【００２９】
そして、第１連結部である水平軸連結部８は、天井５に固定されたフック形状である連結金具６が引っ掛かる水平方向に固定された円柱状の軸にプーリー２２を有する構成である。プーリー２２は外周の中央部に溝２０を備えている。また、水平軸連結部８のプーリー２２は材質を、ゴム製とした構成とする。
【００３０】
第２連結部である水平面軸連結部１６は、シャフト４の上部に固定されたジョイント部１０である略半球形状で球面に溝２０を有する形状であるボールジョイント２１を可動自在に保持するお椀状で、シャフト４が通ることができる切欠き部１８と溝２０に挿入可能な突起１９からなる。
【００３１】
すなわち、吊下げ手段７は、第２連結部であるお椀状でシャフト４が通ることができる切欠き部１８と溝２０に挿入可能な突起１９を備えたハンガー１７に、第１連結部であるプーリー２２を有する円柱状の軸が固定されている。
【００３２】
上記構成により、本体および羽根の重量やピッチのアンバランス、また動作時に発生する風に循環風や外風などにより、特定されないあらゆる方向への揺れ成分が発生し、非定常的に本体の揺れが発生しても、Ｘ軸１２方向を回転軸とした回転方向の振れ成分を第１連結部にて抑制し、Ｘ軸１２とＺ軸１３とからなる水平面上に回転軸を持つ回転方向の振れ成分を第２連結部にて抑制でき、それぞれの振れ成分に対応できるため、製品動作時の本体の揺れを抑制することができる。
【００３３】
また、製品動作時の本体の揺れは、モータ３の上部に突出したシャフト４を介し、そのシャフト４の上部に固定されたジョイント部１０、すなわち第２連結部に伝わり、更に吊下げ手段７であるハンガー１７を介し、第１連結部に伝わる。このように、本体の揺れは、第１連結部と第２連結部に同時に伝わらず、まず第２連結部に伝わり、遅れて第１連結部に伝わるため、第１連結部と第２連結部で揺れ方向が逆向きになり、結果として、本体の揺れを一部打ち消しあい、製品動作時の本体の揺れを抑制することができると考えられる。
【００３４】
また、本体は、第１連結部と第２連結部の２箇所の連結部を介し天井５に固定されているので、本体の振動は可動自在な２箇所の連結部で振動の伝達が抑制され、結果として天井５への振動の伝達が抑制される。よって、天井５での異音の発生を抑制できる。
【００３５】
また、起動時の急激なモータ３のトルク変動や、商用電源電圧の不安定要因などによるモータ３トルクの不安定などにより、モータ３のシャフト４やその連結部の吊下げ構造部分が回転しようとしても、ボールジョイント２１を保持するハンガー１７に溝２０に挿入可能な突起１９を備えた構成により、モータ３のシャフト４の中心軸１４つまりＹ軸１１の回転方向の回転成分を固定でき、モータ３へ供給する電源線や落下防止用ワイヤーなどの吊下げ構造部への巻き付きを防止できる。
【００３６】
また、製品施工時のハンガー１７への吊下げを容易にでき、傾斜天井にも対応できる。
【００３７】
また、連結部にプーリー２２を用いることにより、プーリー２２の軸の回転方向の振れ成分を摩擦を少なくプーリー２２にて抑制できるため、製品動作時の本体の揺れを抑制することができると共に、製品施工時のＪフックやＵフックなどへの吊下げを容易にできる。
【００３８】
また、連結部のプーリー２２の材質を、ゴム製とすることにより、製品動作時の回転による本体の振動を吸収、緩和できる。
【００３９】
（参考例２）
図６に示すように、天井５に固定される連結金具６と、この連結金具６に吊下げ手段７を介して吊下げられる天井扇風機本体１とを備え、吊下げ手段７は連結金具６に可動自在に取付可能な第１連結部と、この第１連結部の下部に第２連結部を有し、天井扇風機本体１は、水平方向に付設した複数のブレード２を回転するモータ３と、そのモータ３の上部に突出したシャフト４と、そのシャフト４の上部に固定されたジョイント部１０を有し、ジョイント部１０は第２連結部に可動自在に取付ける構成とする。
【００４０】
また、吊下げ手段７はモータ３のシャフト４の中心軸１４をＹ軸１１とし、そのＹ軸１１に対し垂直に交わる水平面の座標をＸ軸１２とＺ軸１３とするとき、Ｘ軸１２とＺ軸１３とからなる水平面上に回転軸を持つ回動可能な水平面軸連結部２３である第１連結部と、Ｘ軸１２方向を回転軸とした回動可能な水平軸連結部９である第２連結部とを備えている。
【００４１】
そして、第１連結部の水平面軸連結部２３は、吊下げ部１５に固定された略半球形状で球面に溝２０を有する形状であるボールジョイント２１からなり、天井５に固定された連結金具６は、ボールジョイント２１を可動自在に保持するお椀状で吊下げ部１５が通ることができる切欠き部１８と溝２０に挿入可能な突起１９を備えている。ジョイント部１０は孔形状であり、第２連結部の水平軸連結部９はジョイント部１０の孔に回動可能に引っ掛かる水平方向に固定された円柱状の軸からなる。
【００４２】
すなわち、吊下げ手段７は、第２連結部である円柱状の軸と、第１連結部であるシャフト４に固定された略半球形状で球面に溝２０を有する形状であるボールジョイント２１とを吊下げ部１５で固定されている。
【００４３】
上記構成により、本体および羽根の重量やピッチのアンバランス、また動作時に発生する風に循環風や外風などにより、特定されないあらゆる方向への揺れ成分が発生し、非定常的に本体の揺れが発生しても、Ｘ軸１２とＺ軸１３とからなる水平面上に回転軸を持つの回転方向の振れ成分を第１連結部にて抑制し、Ｘ軸１２方向を回転軸とした回転方向の振れ成分を第２連結部にて抑制でき、それぞれの振れ成分に対応できるため、製品動作時の本体の揺れを抑制することができる。
【００４４】
また、製品動作時の本体の揺れは、モータ３の上部に突出したシャフト４を介し、そのシャフト４の上部に固定されたジョイント部１０、すなわち第２連結部に伝わり、更に吊下げ手段７である吊下げ枠を介し、第１連結部に伝わる。このように、本体の揺れは、第１連結部と第２連結部に同時に伝わらず、まず第２連結部に伝わり、遅れて第１連結部に伝わるため、第１連結部と第２連結部で揺れ方向が逆向きになり、結果として、本体の揺れを一部打ち消しあい、製品動作時の本体の揺れを抑制することができると考えられる。
【００４５】
また、本体は、第１連結部と第２連結部の２箇所の連結部を介し天井５に固定されているので、本体の振動は可動自在な２箇所の連結部で振動の伝達が抑制され、結果として天井５への振動の伝達が抑制される。よって、天井５での異音の発生を抑制できる。
【００４６】
また、起動時の急激なモータ３のトルク変動や、商用電源電圧の不安定要因などによるモータ３トルクの不安定などにより、モータ３のシャフト４やその連結部の吊下げ構造部分が回転しようとしても、ボールジョイント２１を保持する天井５に固定された連結金具６は、ボールジョイント２１を可動自在に保持するお椀状でシャフト４が通ることができる切欠き部１８と溝２０に挿入可能な突起１９を備た構成により、モータ３のシャフト４の中心軸１４つまりＹ軸１１の回転方向の回転成分を固定でき、モータ３へ供給する電源線や落下防止用ワイヤーなどの吊下げ構造部への巻き付きを防止できる。
【００４７】
また、製品施工時のハンガー１７への吊下げを容易にでき、傾斜天井にも対応できる。
【００４８】
（参考例３）
図７および図８に示すように、天井５に固定される連結金具６と、この連結金具６に吊下げ手段７を介して吊下げられる天井扇風機本体１とを備え、吊下げ手段７は連結金具６に可動自在に取付可能な第１連結部と、この第１連結部の下部に第２連結部を有し、天井扇風機本体１は、水平方向に付設した複数のブレード２を回転するモータ３と、そのモータ３の上部に突出したシャフト４と、そのシャフト４の上部に固定されたジョイント部１０を有し、ジョイント部１０は第２連結部に可動自在に取付ける構成とする。
【００４９】
また、吊下げ手段７はモータ３のシャフト４の中心軸１４をＹ軸１１とし、そのＹ軸１１に対し垂直に交わる水平面の座標をＸ軸１２とＺ軸１３とするとき、Ｘ軸１２とＺ軸１３とからなる水平面上に回転軸を持つ回動可能な水平面軸連結部２３である第１連結部および第２連結部を備えた構成とする。
【００５０】
そして、第１連結部の水平面軸連結部２３は、連結部材２５に固定された略半球形状で球面に溝２０を有する形状であるボールジョイント２１からなり、天井５に固定された連結金具６は、ボールジョイント２１を可動自在に保持するお椀状で連結部材２５が通ることができる切欠き部１８と溝２０に挿入可能な突起１９を備えている。ジョイント部１０は略半球形状で球面に溝２０を有する形状であるボールジョイント２１であり、第２連結部である水平面軸連結部１６は、ボールジョイント２１を可動自在に保持するお椀状でシャフト４が通ることができる切欠き部１８と溝２０に挿入可能な突起１９を備えた構成である。
【００５１】
すなわち、吊下げ手段７は、第２連結部であるボールジョイント２１を可動自在に保持するお椀状でシャフト４が通ることができる切欠き部１８と溝２０に挿入可能な突起１９を備えたハンガー１７に、第１連結部である連結部材２５に固定された略半球形状で球面に溝２０を有する形状であるボールジョイント２１が固定されている。
【００５２】
上記構成により、本体および羽根の重量やピッチのアンバランス、また動作時に発生する風に循環風や外風などにより、特定されないあらゆる方向への揺れ成分が発生し、非定常的に本体の揺れが発生しても、Ｘ軸１２とＺ軸１３とからなる水平面上に回転軸を持つの回転方向の振れ成分を第１連結部にて抑制し、Ｘ軸１２とＺ軸１３とからなる水平面上に回転軸を持つの回転方向の振れ成分を第２連結部にて抑制でき、それぞれの振れ成分を上下２箇所の連結部で対応できるため、製品動作時の本体の揺れを抑制することができる。
【００５３】
また、製品動作時の本体の揺れは、モータ３の上部に突出したシャフト４を介し、そのシャフト４の上部に固定されたジョイント部１０、すなわち第２連結部に伝わり、更に吊下げ手段７であるハンガー１７を介し、第１連結部に伝わる。このように、本体の揺れは、第１連結部と第２連結部に同時に伝わらず、まず第２連結部に伝わり、遅れて第１連結部に伝わるため、第１連結部と第２連結部で揺れ方向が逆向きになり、結果として、本体の揺れを一部打ち消しあい、製品動作時の本体の揺れを抑制することができると考えられる。
【００５４】
また、本体は、第１連結部と第２連結部の２箇所の連結部を介し天井５に固定されているので、本体の振動は可動自在な２箇所の連結部で振動の伝達が抑制され、結果として天井５への振動の伝達が抑制される。よって、天井５での異音の発生を抑制できる。
【００５５】
また、起動時の急激なモータ３のトルク変動や、商用電源電圧の不安定要因などによるモータ３トルクの不安定などにより、モータ３のシャフト４やその連結部の吊下げ構造部分が回転しようとしても、ボールジョイント２１を保持するハンガー１７に溝２０に挿入可能な突起１９を備えた構成により、モータ３のシャフト４の中心軸１４つまりＹ軸１１の回転方向の回転成分を固定でき、モータ３へ供給する電源線や落下防止用ワイヤーなどの吊下げ構造部への巻き付きを防止できる。
【００５６】
また、製品施工時のハンガー１７への吊下げを容易にでき、傾斜天井にも対応できる。
【００５７】
（参考例４）
図９に示すように、天井５に固定される連結金具６と、この連結金具６に吊下げ手段７を介して吊下げられる天井扇風機本体１とを備え、吊下げ手段７は連結金具６に可動自在に取付可能な第１連結部と、この第１連結部の下部に第２連結部を有し、天井扇風機本体１は、水平方向に付設した複数のブレード２を回転するモータ３と、そのモータ３の上部に突出したシャフト４と、そのシャフト４の上部に固定されたジョイント部１０を有し、ジョイント部１０は第２連結部に可動自在に取付ける構成とする。
【００５８】
また、吊下げ手段７はモータ３のシャフト４の中心軸１４をＹ軸１１とし、そのＹ軸１１に対し垂直に交わる水平面の座標をＸ軸１２とＺ軸１３とするとき、三次元全ての方向に回転軸を持つ回動可能な三次元軸連結部２４である第１連結部と、Ｘ軸１２とＺ軸１３とからなる水平面上に回転軸を持つ回動可能な水平面軸連結部１６である第２連結部とを備えた構成とする。
【００５９】
そして、第１連結部の三次元軸連結部２４は、連結部材２５に固定された略半球形状のボールジョイント２１ａであり、天井５に固定された連結金具６は、ボールジョイント２１ａを可動自在に保持するお椀状で連結部材２５が通ることができる切欠き部１８とからなり、ジョイント部１０は略半球形状のボールジョイント２１ａであり、第２連結部である三次元連結部は、ボールジョイント２１ａを可動自在に保持するお椀状で連結部材２５が通ることができる切欠き部１８と溝２０に挿入可能な突起１９を備えた構成である。  
【００６０】
すなわち、吊下げ手段７は、第２連結部にボールジョイント２１を可動自在に保持するお椀状でシャフト４が通ることができる切欠き部１８と溝２０に挿入可能な突起１９を備えたハンガー１７に、第１連結部であるシャフト４に固定された略半球形状のボールジョイント２１が固定されている。
【００６１】
上記構成により、本体および羽根の重量やピッチのアンバランス、また動作時に発生する風に循環風や外風などにより、特定されないあらゆる方向への揺れ成分が発生し、非定常的に本体の揺れが発生しても、モータ３の回転方向の軸トルクによる振れ成分とＸ軸１２とＺ軸１３とからなる水平面上に回転軸を持つの回転方向の振れ成分を第１連結部にて抑制し、Ｘ軸１２とＺ軸１３とからなる水平面上に回転軸を持つの回転方向の振れ成分を第２連結部にて抑制でき、それぞれの振れ成分に対応できるため、製品動作時の本体の揺れを抑制することができる。
【００６２】
また、製品動作時の本体の揺れは、モータ３の上部に突出したシャフト４を介し、そのシャフト４の上部に固定されたジョイント部１０、すなわち第２連結部に伝わり、更に吊下げ手段７であるハンガー１７を介し、第１連結部に伝わる。このように、本体の揺れは、第１連結部と第２連結部に同時に伝わらず、まず第２連結部に伝わり、遅れて第１連結部に伝わるため、第１連結部と第２連結部で揺れ方向が逆向きになり、結果として、本体の揺れを一部打ち消しあい、製品動作時の本体の揺れを抑制することができると考えられる。
【００６３】
また、本体は、第１連結部と第２連結部の２箇所の連結部を介し天井５に固定されているので、本体の振動は可動自在な２箇所の連結部で振動の伝達が抑制され、結果として天井５への振動の伝達が抑制される。よって、天井５での異音の発生を抑制できる。
【００６４】
また、連結部に略半球形状のボールジョイント２１を用いることにより、全ての軸の回転方向の自由度を持つ構造で、振れ成分を摩擦を少なくボールジョイント２１にて抑制できるため、製品動作時の本体の揺れを抑制することができると共に、製品施工時のハンガー１７への吊下げを容易にでき、傾斜天井にも対応できる。
【００６５】
また、起動時の急激なモータ３のトルク変動や、商用電源電圧の不安定要因などによるモータ３トルクの不安定などにより、モータ３のシャフト４やその連結部の吊下げ構造部分が回転しようとしても、ボールジョイント２１を保持するハンガー１７に溝２０に挿入可能な突起１９を備えた構成により、モータ３のシャフト４の中心軸１４つまりＹ軸１１の回転方向の回転成分を固定でき、モータ３へ供給する電源線や落下防止用ワイヤーなどの吊下げ構造部への巻き付きを防止できる。
【００６６】
（参考例５）
図１０に示すように、天井５に固定される連結金具６と、この連結金具６に吊下げ手段７を介して吊下げられる天井扇風機本体１とを備え、吊下げ手段７は連結金具６に可動自在に取付可能な第１連結部と、この第１連結部の下部に第２連結部を有し、天井扇風機本体１は、水平方向に付設した複数のブレード２を回転するモータ３と、そのモータ３の上部に突出したシャフト４と、そのシャフト４の上部に固定されたジョイント部１０を有し、ジョイント部１０は第２連結部に可動自在に取付ける構成とする。
【００６７】
また、吊下げ手段７はモータ３のシャフト４の中心軸１４をＹ軸１１とし、そのＹ軸１１に対し垂直に交わる水平面の座標をＸ軸１２とＺ軸１３とするとき、三次元全ての方向に回転軸を持つ回動可能な三次元軸連結部２４である第１連結部および第２連結部を備えた構成とする。
【００６８】
そして、第１連結部の三次元軸連結部２４は、連結部材２５に固定された略半球形状のボールジョイント２１ａであり、天井５に固定された連結金具６は、ボールジョイント２１ａを可動自在に保持するお椀状で連結部材２５が通ることができる切欠き部１８とからなり、ジョイント部１０は略半球形状のボールジョイント２１ａであり、第２連結部である三次元連結部は、ボールジョイント２１ａを可動自在に保持するお椀状で連結部材２５が通ることができる切欠き部１８とからなる構成である。
【００６９】
すなわち、吊下げ手段７は、第２連結部にボールジョイント２１ａを可動自在に保持するお椀状でシャフト４が通ることができる切欠き部１８を備えたハンガー１７に、第１連結部であるシャフト４に固定された略半球形状のボールジョイント２１ａが固定されている。
【００７０】
上記構成により、本体および羽根の重量やピッチのアンバランス、また動作時に発生する風に循環風や外風などにより、特定されないあらゆる方向への揺れ成分が発生し、非定常的に本体の揺れが発生しても、モータ３の回転方向の軸トルクによる振れ成分とＸ軸１２方向とＺ軸１３方向を回転軸とする回転方向の振れ成分を第１連結部と第２連結部にて抑制でき、それぞれの振れ成分を上下２箇所の連結部で対応できるため、製品動作時の本体の揺れを抑制することができる。
【００７１】
また、製品動作時の本体の揺れは、モータ３の上部に突出したシャフト４を介し、そのシャフト４の上部に固定されたジョイント部１０、すなわち第２連結部に伝わり、更に吊下げ手段７であるハンガー１７を介し、第１連結部に伝わる。このように、本体の揺れは、第１連結部と第２連結部に同時に伝わらず、まず第２連結部に伝わり、遅れて第１連結部に伝わるため、第１連結部と第２連結部で揺れ方向が逆向きになり、結果として、本体の揺れを一部打ち消しあい、製品動作時の本体の揺れを抑制することができると考えられる。
【００７２】
また、本体は、第１連結部と第２連結部の２箇所の連結部を介し天井５に固定されているので、本体の振動は可動自在な２箇所の連結部で振動の伝達が抑制され、結果として天井５への振動の伝達が抑制される。よって、天井５での異音の発生を抑制できる。
【００７３】
また、製品施工時のハンガー１７への吊下げを容易にでき、傾斜天井にも対応できる。
【産業上の利用可能性】
【００７４】
以上のように本発明は、天井に固定される連結金具と、この連結金具に吊下げ手段を介して吊下げられる天井扇風機本体とを備え、前記吊下げ手段は前記連結金具に可動自在に取付可能な第１連結部と、この第１連結部の下部に第２連結部を有し、前記天井扇風機本体は、水平方向に付設した複数のブレードを回転するモータと、そのモータの上部に突出したシャフトと、そのシャフトの上部に固定されたジョイント部を有し、前記ジョイント部は前記第２連結部に可動自在に取付けるものであり、天井での異音の発生を抑制できるものである。
【００７５】
すなわち、その理由は未だ十分には解明できていないが、天井に固定される連結金具と天井扇風機本体との間に２箇所の可動自在な連結部を有した吊下げ手段を設けたので、運転時の天井扇風機本体の振動は２箇所の可動自在な連結部により天井への伝達が軽減されるとともに、運転時の天井扇風機本体の揺動が、２箇所の可動自在な連結部により揺動の一部を打ち消しあうこととなり、これらの結果から、運転時の天井扇風機本体の振動が天井に伝わりにくく、天井扇本体の揺動を抑制することが出来るものと考えられる。いずれいせよ、以上の構成により天井における異音の発生は大幅に減少することとなった。
【００７６】
したがって、家庭用や事務所用などの、天井扇風機として活用が期待されるものである。
【図面の簡単な説明】
【００７７】
【図１】参考例１を示す側面図
【図２】同斜視図
【図３】本発明の実施の形態１を示す側面図
【図４】同斜視図
【図５】同要部拡大図
【図６】参考例２を示す側面図
【図７】参考例３を示す側面図
【図８】同要部展開図
【図９】参考例４を示す要部展開図
【図１０】参考例５を示す要部展開図
【符号の説明】
【００７８】
１      天井扇風機本体
２      ブレード
３      モータ
４      シャフト
５      天井
６      連結金具
７      吊下げ手段
８      水平軸連結部
９      水平軸連結部
１０    ジョイント部
１１    Ｙ軸
１２    Ｘ軸
１３    Ｚ軸
１４    中心軸
１５    吊下げ部
１６    水平面軸連結部
１７    ハンガー
１８    切欠き部
１９    突起
２０    溝
２１    ボールジョイント
２１ａ  ボールジョイント
２２    プーリー
２３    水平面軸連結部
２４    三次元軸連結部
２５    連結部材
【図１】
0005581571.tif 000002
【図２】
0005581571.tif 000003
【図３】
0005581571.tif 000004
【図４】
0005581571.tif 000005
【図５】
0005581571.tif 000006
【図６】
0005581571.tif 000007
【図７】
0005581571.tif 000008
【図８】
0005581571.tif 000009
【図９】
0005581571.tif 000010
【図１０】
0005581571.tif 000011